(57)【要約】【課題】ウェブキャプチャーまたはキャプチャーアプリケーションを用いて画面キャプチャーを制御するホスト装置及びその制御方法の提供【解決手段】制御部と保存部を含み、制御部は、ウェブキャプチャーアプリケーションを制御してウェブブラウザの画面に表示される第１のキャプチャー領域をキャプチャーして第１の共有クリップボードに追加し、キャプチャーアプリケーションで互換可能な第１のファイルとして保存部に保存し、キャプチャーアプリケーションを制御して壁紙に表示される第２のキャプチャー領域をキャプチャーして第２の共有クリップボードに追加し、ウェブキャプチャーアプリケーションで互換可能な第２のファイルとして保存部に保存し、第１及び第２の共有クリップボードは、記録媒体の大きさに対応し、互換可能な第１及び第２のファイルの少なくとも一つを開いて編集することができる。【選択図】図２
2012064220.tif 000002
【特許請求の範囲】
【請求項１】
画像形成装置及び表示部に接続可能なホスト装置であって、
ウェブキャプチャーアプリケーション及びキャプチャーアプリケーションの動作を制御する制御部と、
保存部と、を含み、
前記制御部は、
前記ウェブキャプチャーアプリケーションを制御して、前記表示部に表示される前記第１の共有クリップボードの一側のウェブブラウザの画面に表示された第１のキャプチャー領域をキャプチャーし、前記第１のキャプチャー領域を前記第１の共有クリップボードに追加し、前記キャプチャーアプリケーションで互換可能な第１のファイルとして前記保存部に保存し、
前記キャプチャーアプリケーションを制御して、前記表示部に表示される前記第２の共有クリップボードの一側の壁紙に表示された第２のキャプチャー領域をキャプチャーし、前記第２のキャプチャー領域を前記第２の共有クリップボードに追加して前記ウェブキャプチャーアプリケーションで互換可能な第２のファイルとして前記保存部に保存し、
前記第１の共有クリップボード及び前記第２の共有クリップボードは、前記画像形成装置で支援する記録媒体の大きさに対応し、互換可能な前記第１のファイル及び前記第２のファイルの少なくとも一つを開いて編集可能であることを特徴とするホスト装置。
【請求項２】
前記画像形成装置に接続可能な通信インターフェース部をさらに含み、
前記制御部は、前記第１のファイル及び前記第２のファイルの少なくとも一つが前記通信インターフェース部を通じて前記画像形成装置に伝送されるように制御することを特徴とする請求項１に記載のホスト装置。
【請求項３】
前記表示部は、前記ホスト装置と一体型（ａｌｌ−ｉｎ−ｏｎｅ）であることを特徴とする請求項１に記載のホスト装置。
【請求項４】
画像形成装置に接続可能なホスト装置の画面キャプチャー制御方法であって、
表示部に表示され、第１の共有クリップボード及び前記第１の共有クリップボードの一側のウェブブラウザの画面を含むウェブキャプチャーアプリケーションを駆動するステップと、
前記ウェブブラウザの画面から第１の領域をキャプチャーし、前記第１のキャプチャー領域を前記第１の共有クリップボードに追加して、キャプチャーアプリケーションで互換可能な第１のファイルとして保存するステップと、
前記表示部に表示され、第２の共有クリップボード及び前記第２の共有クリップボードの一側の壁紙を含むキャプチャーアプリケーションを駆動するステップと、
前記キャプチャーアプリケーションの第２の共有クリップボードで前記第１のファイルを開いて表示するステップと、
前記壁紙に表示される第２の領域をキャプチャーし、前記第２のキャプチャー領域を、前記第１のファイルが表示される第２の共有クリップボードに追加して、前記ウェブキャプチャーアプリケーションで互換可能な第２のファイルとして保存するステップと、
を含み、
前記第１の共有クリップボード及び前記第２の共有クリップボードは、前記画像形成装置で支援する記録媒体の大きさに対応し、互換可能な前記第１のファイル及び前記第２のファイルの少なくとも一つを開いて編集可能であることを特徴とするホスト装置の画面キャプチャー制御方法。
【請求項５】
前記第２の共有クリップボードで前記第１のファイルを開いて表示するステップは、
既に保存された前記第１のファイル、イメージファイル及びテキストファイルの少なくとも一つに対応するファイル名またはサムネイルイメージを用いて選択的に開くステップであることを特徴とする請求項４に記載のホスト装置の画面キャプチャー制御方法。
【請求項６】
前記表示部に駆動される他のアプリケーションで選択されたＯＬＥ個体が、第１の共有クリップボードに追加されるステップをさらに含むことを特徴とする請求項４に記載のホスト装置の画面キャプチャー制御方法。
【請求項７】
前記表示部に駆動される他のアプリケーションで選択されたＯＬＥ個体が、第２の共有クリップボードに追加されるステップをさらに含むことを特徴とする請求項４に記載のホスト装置の画面キャプチャー制御方法。
【請求項８】
前記表示される第１の共有クリップボードの大きさに対応して前記ウェブブラウザの画面の大きさが変更して表示されること、または、前記表示される第２の共有クリップボードの大きさに対応して前記壁紙の大きさが変更して表示されることを特徴とする請求項４に記載のホスト装置の画面キャプチャー制御方法。
【請求項９】
前記ウェブキャプチャーアプリケーションは、前記第１のキャプチャー領域を拡張子がＥＭＦであるファイルとしてキャプチャーし、前記第１のキャプチャー領域に含まれるテキストを抽出して保存することを特徴とする請求項４に記載のホスト装置の画面キャプチャー制御方法。
【請求項１０】
前記第１のキャプチャー領域または第２のキャプチャー領域に対応する作業を、前記画像形成装置を用いて行うステップをさらに含むことを特徴とする請求項４に記載のホスト装置の画面キャプチャー制御方法。
【請求項１１】
前記表示部が複数である場合、
前記ウェブキャプチャーアプリケーション及び前記キャプチャーアプリケーションは、前記複数の表示部でそれぞれ駆動されることを特徴とする請求項４に記載のホスト装置の画面キャプチャー制御方法。
【請求項１２】
前記第１の共有クリップボードは前記第２のキャプチャー領域を、前記第２の共有クリップボードは前記第１のキャプチャー領域を相互開くことができることを特徴とする請求項１１に記載のホスト装置の画面キャプチャー制御方法。
【請求項１３】
前記表示部は、前記ホスト装置と一体型であることを特徴とする請求項４に記載のホスト装置の画面キャプチャー制御方法。
【請求項１４】
画像形成装置に接続可能なホスト装置の画面キャプチャー制御方法であって、
表示部に表示され、前記第１の共有クリップボードの一側に表示されたウェブブラウザの画面から第１のキャプチャー領域をキャプチャーして前記第１の共有クリップボードに追加するウェブキャプチャーアプリケーション、及び前記表示部に表示され、前記第２の共有クリップボードの一側に表示された壁紙から第２のキャプチャー領域をキャプチャーして第２の共有クリップボードに追加するキャプチャーアプリケーションのうち、前記ウェブキャプチャーアプリケーションが駆動されるステップと、
前記画像形成装置の記録媒体の大きさに対応する前記第１の共有クリップボードで、既に保存された少なくとも一つのファイルが開いて表示されるステップと、
前記ウェブキャプチャーアプリケーションにより、前記ウェブブラウザの画面に表示された第１のキャプチャー領域がキャプチャーされるステップと、
前記少なくとも一つのファイルが表示される前記第１の共有クリップボードに、前記第１のキャプチャー領域が追加されるステップと、
を含むことを特徴とするホスト装置の画面キャプチャー制御方法。
【請求項１５】
前記第１の共有クリップボードに表示された前記少なくとも一つのファイルまたはキャプチャーデータを、前記キャプチャーアプリケーションで互換可能な第１のファイルとして保存するステップをさらに含み、
前記第１のファイルは、前記ウェブキャプチャーアプリケーションまたは前記キャプチャーアプリケーションで編集可能であることを特徴とする請求項１４に記載のホスト装置の画面キャプチャー制御方法。
【請求項１６】
前記ウェブキャプチャーアプリケーションは、前記ウェブブラウザにプラグインされるアプリケーションであることを特徴とする請求項１４に記載のホスト装置の画面キャプチャー制御方法。
【請求項１７】
前記壁紙で駆動される他のアプリケーションで選択されたＯＬＥ個体が、前記第１の共有クリップボードに追加されるステップをさらに含むことを特徴とする請求項１４に記載のホスト装置の画面キャプチャー制御方法。
【請求項１８】
前記表示部は、前記ホスト装置と一体型であることを特徴とする請求項１４に記載のホスト装置の画面キャプチャー制御方法。
【請求項１９】
画像形成装置に接続可能なホスト装置の画面キャプチャー制御方法であって、
表示部の壁紙に表示され、前記第１の共有クリップボードの一側のウェブブラウザの画面から第１のキャプチャー領域をキャプチャーして前記第１の共有クリップボードに追加するウェブキャプチャーアプリケーション、及び前記表示部に表示され、前記第２の共有クリップボードの一側の前記壁紙から第２のキャプチャー領域をキャプチャーして第２の共有クリップボードに追加するキャプチャーアプリケーションを含む統合キャプチャーアプリケーションが駆動されるステップと、
前記統合キャプチャーアプリケーションの駆動に対応して前記ウェブブラウザが活性化されたか否かを判断するステップと、
前記ウェブブラウザが活性化された場合、前記ウェブキャプチャーアプリケーションが駆動され、前記ウェブブラウザが非活性化されていた場合、前記キャプチャーアプリケーションが駆動されるステップと、を含み、
前記ウェブキャプチャーアプリケーションは、前記第１のキャプチャー領域を前記キャプチャーアプリケーションで互換可能な第１のファイルとして保存し、前記キャプチャーアプリケーションは、前記第２のキャプチャー領域を前記ウェブキャプチャーアプリケーションで互換可能な第２のファイルとして保存することを特徴とするホスト装置の画面キャプチャー制御方法。
【請求項２０】
前記第１の共有クリップボード及び前記第２の共有クリップボードは、前記画像形成装置で支援する記録媒体の大きさに対応し、前記第１のファイル及び前記第２のファイルの少なくとも一つを開いて編集可能であることを特徴とする請求項１９に記載のホスト装置の画面キャプチャー制御方法。
【発明の詳細な説明】
【技術分野】
【０００１】
本発明は、ホスト装置及びホスト装置の画面キャプチャー制御方法に係り、より詳しくは、ウェブキャプチャーアプリケーションまたはキャプチャーアプリケーションを用いて画面キャプチャーを制御するホスト装置及びホスト装置の画面キャプチャー制御方法に関する。
【背景技術】
【０００２】
画像形成装置には、画像データを出力するコピー機、プリンタ、ファクシミリ、スキャナー及びコピー、印刷、スキャン、ファックス伝送、イーメール送信、ファイル伝送などの複数の機能を果たす複合機（Ｍｕｌｔｉ  Ｆｕｎｃｔｉｏｎ  Ｐｅｒｉｐｈｅｒａｌ：ＭＦＰ）など様々な装置がある。
この画像形成装置を制御したり、画像形成装置が支援する少なくとも一つの機能を果たしたりするために、画像形成装置に有線／無線ネットワークまたはＵＳＢインターフェースを介して連結されるコンピュータには、装置ドライバー（ｄｅｖｉｃｅ  ｄｒｉｖｅｒ）またはアプリケーション（ａｐｐｌｉｃａｔｉｏｎ）が設置されている。
【０００３】
上記のアプリケーションは、画像形成装置または画像形成装置に連結可能なコンピュータの使用に必要なソフトウェアで、画像形成装置のメーカーまたは用途によって様々なものがある。
通常、画像形成装置に連結されるコンピュータには、モニターに表示される壁紙から必要領域をキャプチャーするキャプチャーアプリケーションやモニターに表示されるウェブブラウザのウェブページから必要領域をキャプチャーするウェブキャプチャーアプリケーションがそれぞれ設置されている（例えば、特許文献１参照）。
【０００４】
しかしながら、これまでの画像形成装置に連結可能なホスト装置では、キャプチャーアプリケーションを用いてキャプチャーしたファイルとウェブキャプチャーアプリケーションを用いてキャプチャーしたファイル、を相互互換可能に保存することができないなど、十分な使い勝手を有していないという問題点があった。
【先行技術文献】
【特許文献】
【０００５】
【特許文献１】特開平１１−３５５４８１号公報
【発明の概要】
【発明が解決しようとする課題】
【０００６】
本発明は、上記従来の問題点に鑑みてなされたものであって、本発明の目的は、十分な使い勝手を有するウェブキャプチャーアプリケーションまたはキャプチャーアプリケーションを用いて画面キャプチャーを制御するホスト装置及びホスト装置の画面キャプチャー制御方法を提供することにある。
【課題を解決するための手段】
【０００７】
上述の本発明の目的を実現するための一実施形態に係るホスト装置は、画像形成装置及び表示部に接続可能なホスト装置であって、ウェブキャプチャーアプリケーション及びキャプチャーアプリケーションの動作を制御する制御部と、保存部と、を含み、制御部は、ウェブキャプチャーアプリケーションを制御して、表示部に表示される第１の共有クリップボードの一側のウェブブラウザの画面に表示される第１のキャプチャー領域をキャプチャーし、第１のキャプチャー領域を第１の共有クリップボードに追加し、キャプチャーアプリケーションで互換可能な第１のファイルとして保存部に保存し、キャプチャーアプリケーションを制御して表示部に表示される第２の共有クリップボードの一側の壁紙に表示される第２のキャプチャー領域をキャプチャーし、第２のキャプチャー領域を第２の共有クリップボードに追加し、ウェブキャプチャーアプリケーションで互換可能な第２のファイルとして保存部に保存し、第１の共有クリップボード及び第２の共有クリップボードは、画像形成装置で支援する記録媒体の大きさに対応し、互換可能な第１のファイル及び第２のファイルの少なくとも一つを開いて編集することができる。
【０００８】
本発明の一実施形態において、ホスト装置は、画像形成装置に接続可能な通信インターフェース部をさらに含み、制御部は、第１のファイル及び第２のファイルの少なくとも一つが通信インターフェース部を通じて画像形成装置に伝送されるように制御することができる。
また、表示部は、ホスト装置と一体型（ａｌｌ−ｉｎ−ｏｎｅ）であってよい。
【０００９】
本発明の一実施形態に係るホスト装置の画面キャプチャー制御方法は、画像形成装置に接続可能なホスト装置の画面キャプチャー制御方法であって、表示部に表示され、第１の共有クリップボード及び第１の共有クリップボードの一側のウェブブラウザの画面を含むウェブキャプチャーアプリケーションを駆動するステップと、ウェブブラウザの画面から第１の領域をキャプチャーし、第１のキャプチャー領域を第１の共有クリップボードに追加して、キャプチャーアプリケーションで互換可能な第１のファイルとして保存するステップと、表示部に表示され、第２の共有クリップボード及び第２の共有クリップボードの一側の壁紙を含むキャプチャーアプリケーションを駆動するステップと、キャプチャーアプリケーションの第２の共有クリップボードで前記第１のファイルを開いて表示するステップと、壁紙に表示される第２の領域をキャプチャーし、第２のキャプチャー領域を、第１のファイルが表示される第２の共有クリップボードに追加して、ウェブキャプチャーアプリケーションで互換可能な第２のファイルとして保存するステップと、を含み、第１の共有クリップボード及び第２の共有クリップボードは、画像形成装置で支援する記録媒体の大きさに対応し、互換可能な第１のファイル及び第２のファイルの少なくとも一つを開いて編集することができる。
【００１０】
本発明の一実施形態に係るホスト装置の画面キャプチャー制御方法は、第２の共有クリップボードで第１のファイルを開いて表示するステップは、既に保存された第１のファイル、イメージファイル及びテキストファイルの少なくとも一つに対応するファイル名またはサムネイルイメージを用いて選択的に開くステップでよい。
また、ホスト装置の画面キャプチャー制御方法は、表示部に駆動される他のアプリケーションで選択されたＯＬＥ個体が、第１の共有クリップボードに追加されるステップをさらに含むことができる。
【００１１】
本発明の一実施形態に係るホスト装置の画面キャプチャー制御方法は、ホスト装置の画面キャプチャー制御方法は、表示部に駆動される他のアプリケーションで選択されたＯＬＥ個体が、第２の共有クリップボードに追加されるステップをさらに含むことができる。
また、ホスト装置の画面キャプチャー制御方法は、表示される第１の共有クリップボードの大きさに対応してウェブブラウザの画面の大きさが変更して表示することや、表示される第２の共有クリップボードの大きさに対応して壁紙の大きさを変更して表示することができる。
【００１２】
本発明の一実施形態において、ウェブキャプチャーアプリケーションは、第１のキャプチャー領域を拡張子がＥＭＦであるファイルとしてキャプチャーし、第１のキャプチャー領域に含まれるテキストを抽出して保存することができる。
【００１３】
本発明の一実施形態に係るホスト装置の画面キャプチャー制御方法は、第１のキャプチャー領域または第２のキャプチャー領域に対応する作業を、画像形成装置を用いて行うステップをさらに含むことができる。
本発明の一実施形態において、表示部が複数である場合、ウェブキャプチャーアプリケーション及びキャプチャーアプリケーションは、複数の表示部でそれぞれ駆動されてよい。
また、第１の共有クリップボードは第２のキャプチャー領域を、第２の共有クリップボードは第１のキャプチャー領域を相互開くことができる。
また、表示部は、ホスト装置と一体型でよい。
【００１４】
本発明の他の実施形態に係るホスト装置の画面キャプチャー制御方法は、画像形成装置に接続可能なホスト装置の画面キャプチャー制御方法であって、表示部に表示され、第１の共有クリップボードの一側に表示されるウェブブラウザの画面から第１のキャプチャー領域をキャプチャーして第１の共有クリップボードに追加するウェブキャプチャーアプリケーション、及び表示部に表示され、第２の共有クリップボードの一側に表示される壁紙から第２のキャプチャー領域をキャプチャーして第２の共有クリップボードに追加するキャプチャーアプリケーションのうち、ウェブキャプチャーアプリケーションが駆動されるステップと、画像形成装置の記録媒体の大きさに対応する前記第１の共有クリップボードで、既に保存された少なくとも一つのファイルが開いて表示されるステップと、ウェブキャプチャーアプリケーションにより、ウェブブラウザの画面に表示される第１のキャプチャー領域がキャプチャーされるステップと、少なくとも一つのファイルが表示される第１の共有クリップボードに、第１のキャプチャー領域が追加されるステップと、を含む。
【００１５】
本発明の他の実施形態において、ホスト装置の画面キャプチャー制御方法は、第１の共有クリップボードに表示される少なくとも一つのファイルまたはキャプチャーデータを、キャプチャーアプリケーションで互換可能な第１のファイルとして保存するステップをさらに含み、第１のファイルは、ウェブキャプチャーアプリケーションまたはキャプチャーアプリケーションで編集することができる。
また、本発明の他の実施形態において、ウェブキャプチャーアプリケーションは、ウェブブラウザにプラグインされるアプリケーションでよい。
【００１６】
本発明の他の実施形態において、ホスト装置の画面キャプチャー制御方法は、壁紙で駆動される他のアプリケーションで選択されたＯＬＥ個体が第１の共有クリップボードに追加されるステップをさらに含むことができる。
また、本発明の他の実施形態において、表示部は、ホスト装置と一体型でよい。
【００１７】
本発明のさらに他の実施形態に係るホスト装置の画面キャプチャー制御方法は、画像形成装置に接続可能なホスト装置の画面キャプチャー制御方法であって、表示部の壁紙に表示され、第１の共有クリップボードの一側のウェブブラウザの画面から第１のキャプチャー領域をキャプチャーして第１の共有クリップボードに追加するウェブキャプチャーアプリケーション、及び表示部に表示され、第２の共有クリップボードの一側の壁紙から第２のキャプチャー領域をキャプチャーして第２の共有クリップボードに追加するキャプチャーアプリケーションを含む統合キャプチャーアプリケーションが駆動されるステップと、統合キャプチャーアプリケーションの駆動に対応してウェブブラウザが活性化されたか否かを判断するステップと、ウェブブラウザが活性化された場合、ウェブキャプチャーアプリケーションが駆動され、ウェブブラウザが非活性化された場合、キャプチャーアプリケーションが駆動されるステップと、を含み、ウェブキャプチャーアプリケーションは、第１のキャプチャー領域をキャプチャーアプリケーションで互換可能な第１のファイルとして保存し、キャプチャーアプリケーションは、第２のキャプチャー領域をウェブキャプチャーアプリケーションで互換可能な第２のファイルとして保存することができる。
【００１８】
本発明のさらに他の実施形態において、第１の共有クリップボード及び第２の共有クリップボードは、画像形成装置で支援する記録媒体の大きさに対応し、第１のファイル及び第２のファイルの少なくとも一つを開いて編集することができる。
【発明の効果】
【００１９】
本発明によれば、表示部に表示される、ウェブキャプチャーアプリケーションを用いてキャプチャーした第１のファイル及びキャプチャーアプリケーションを用いてキャプチャーした第２のファイルを、互換可能に保存することができ、これらのファイルを相互に開くことができるホスト装置及びホスト装置の画面キャプチャー制御方法が提供される。
【００２０】
また、本発明によれば、表示部に表示されたウェブブラウザが活性化されたか否かに対応して、ウェブキャプチャーアプリケーションまたはキャプチャーアプリケーションを選択的に駆動させることができるホスト装置及びホスト装置の画面キャプチャー制御方法が提供される。
【図面の簡単な説明】
【００２１】
【図１】本発明の一実施形態に係るホスト装置を示すブロック図である。
【図２】本発明の一実施形態に係るホスト装置の画面キャプチャー制御方法を説明するためのフローチャートである。
【図３】本発明の一実施形態に係るウェブキャプチャーアプリケーションの初期ユーザーインターフェース画面の例示図である。
【図４】本発明の一実施形態に係るウェブキャプチャーアプリケーションでウェブブラウザの画面における第１キャプチャー領域をキャプチャーして第１の共有クリップボードに追加するユーザーインターフェース画面の例示図である。
【図５】本発明の一実施形態に係るキャプチャーアプリケーションの初期ユーザーインターフェース画面の例示図である。
【図６】本発明の一実施形態に係るキャプチャーアプリケーションで壁紙における第２キャプチャー領域をキャプチャーして、第１のキャプチャー領域が表示される第２共有クリップボードに追加するユーザーインターフェース画面の例示図である。
【図７】本発明の一実施形態に係るキャプチャーアプリケーションの第２共有クリップボードで既に保存されたファイルを開くユーザーインターフェース画面の例示図である。
【図８】本発明の一実施形態に係る第２の共有クリップボードにＯＬＥ（Ｏｂｊｅｃｔ  Ｌｉｎｋｉｎｇ  ａｎｄ  Ｅｍｂｅｄｄｉｎｇ）個体を追加するユーザーインターフェース画面の例示図である。
【図９】本発明の一実施形態に係る複数の表示部に表示されるそれぞれのウェブキャプチャーアプリケーション及びキャプチャーアプリケーションの初期ユーザーインターフェース画面の例示図である。
【図１０】本発明の他の実施形態に係るホスト装置の画面キャプチャー制御方法を説明するためのフローチャートである。
【図１１】本発明のさらに他の実施形態に係るホスト装置の画面キャプチャー制御方法を説明するためのフローチャートである。
【発明を実施するための形態】
【００２２】
以下、添付の図面を参照して、本発明の好ましい実施形態について詳細に説明する。ただし、本発明はこれらの実施形態に限定されるものではない。また、図面中、同一の参照符号は同一の部材を指す。
【００２３】
図１は、本発明の一実施形態に係るホスト装置を示すブロック図である。
図１を参照すると、本発明の一実施形態に係るホスト装置１００は、有線／無線ネットワーク１７０に接続することができ、ＵＳＢインターフェース１７１を用いてＵＳＢ通信を行うこともできる。
また、ホスト装置１００は、有線／無線ネットワーク１７０、ＵＳＢインターフェース１７１などを介して、少なくとも一つの画像形成装置１８０、コンピュータ１８１、携帯用装置１８２に接続することが可能である。
【００２４】
携帯用装置１８２は、携帯電話、スマートフォン、デジタルカメラ、電子書籍リーダ（ｅ−ｂｏｏｋ  ｒｅａｄｅｒ）、タブレットＰＣ（ｔａｂｌｅｔ  ＰＣ）、または携帯用記憶媒体（例えば、ＵＳＢメモリー、またはメモリーカードなど）を含む携帯可能な装置を意味するが、ここに例示された装置に限定されるものではない。
また、以下でいう外部装置は、画像形成装置１８０、コンピュータ１８１、携帯用装置１８２などを意味する。
【００２５】
ホスト装置１００は、制御部１１０、ハードディスクドライブ（ＨＤＤ）１２０、通信インターフェース部１３０、ウェブキャプチャーアプリケーション（ｗｅｂ  ｃａｐｔｕｒｅ  ａｐｐｌｉｃａｔｉｏｎ）１４０、キャプチャーアプリケーション（ｃａｐｔｕｒｅ  ａｐｐｌｉｃａｔｉｏｎ）１５０を含むことができ、ホスト装置１００にはまた、表示部１６０及び入力部１６１が接続されてもよい。
【００２６】
制御部１１０は、ＣＰＵ１１１と、制御プログラムが格納されたＲＯＭ１１２と、入力データを記憶したり、作業関連記憶領域として用いられたりするＲＡＭ  １１３と、を含むことができ、ＣＰＵ１１１、ＲＯＭ１１２及びＲＡＭ１１３は、内部バス（ＢＵＳ）を介して相互に接続することができる。
また、制御部１１０は、ハードディスクドライブ１２０、通信インターフェース部１３０、ウェブキャプチャーアプリケーション１４０、キャプチャーアプリケーション１５０、表示部１６０及び入力部１６１を制御することができる。
【００２７】
表示部１６０は、ホスト装置１００に接続して、ホスト装置１００が支援する様々なアプリケーションに対応する短縮アイコンを表示する。そして、使用者は、表示された短縮アイコンを用いて対応するアプリケーションを駆動させることができる。
このような表示部１６０は、ＣＲＴモニター（図示せず）、ＴＦＴ−ＬＣＤモニター（図示せず）、またはタッチスクリーンのいずれかを用いて具現することができる。
また、表示部１６０は、ホスト装置１００と分離されていない一体型（ａｌｌ−ｉｎ−ｏｎｅ）としてもよい。
【００２８】
ホスト装置１００を操作するためのユーザ入力は、ホスト装置１００と接続される入力部１６１を介して行われる。入力部１６１の例としては、キーボード（図示せず）、マウス（図示せず）またはタッチスクリーン（図示せず）などの他、様々なハードウェアまたはソフトウェアモジュールが含まれてよい。
【００２９】
ハードディスクドライブ１２０は、制御部１１０の制御のもとで、ウェブキャプチャーアプリケーション１４０によってキャプチャーされて生成される第１のファイル（図示せず）、またはキャプチャーアプリケーション１５０によってキャプチャーされて生成される第２のファイル（図示せず）の少なくとも一つを保存することができる。
また、第１のファイル（図示せず）または第２のファイル（図示せず）は、ウェブキャプチャーアプリケーション１４０から入力される保存コマンドまたはキャプチャーアプリケーション１５０から入力される保存コマンドに対応する制御部１１０の制御に応じて、ハードディスクドライブ１２０に保存されてもよい。
【００３０】
このようなハードディスクドライブ１２０には、ホスト装置１００に設置可能なウェブキャプチャーアプリケーション１４０やキャプチャーアプリケーション１５０がインストールされてよい。
さらに、ハードディスクドライブ１２０には、ウェブキャプチャーアプリケーション１４０またはキャプチャーアプリケーション１５０が支援する様々な拡張子を有するファイルが保存されてよく、ＯＬＥ（Ｏｂｊｅｃｔ  Ｌｉｎｋｉｎｇ  ａｎｄ  Ｅｍｂｅｄｄｉｎｇ）個体も保存されてよい。
【００３１】
第１の共有クリップボード３３０（図３参照）のページ領域３３３（図３参照）に追加された第１のキャプチャー領域３２１（図４参照）単独、または第１のキャプチャー領域３２１を含むページ領域３３３は、別個の第１のファイル（図示せず）として保存されてよい。
第２の共有クリップボード５３０（図５参照）のページ領域５３３（図５参照）に追加された第２のキャプチャー領域５２１（図６参照）単独、または第２のキャプチャー領域５２１を含むページ領域５３３は、別個の第２のファイル（図示せず）として保存されてよい。
以下でいう保存部（ｓｔｏｒａｇｅ）は、制御部１１０におけるＲＯＭ１１２、ＲＡＭ１１３、またはハードディスクドライブ１２０を意味する。
【００３２】
通信インターフェース部１３０は、有線／無線ネットワーク１７０またはＵＳＢインターフェース１７１を介して少なくとも一つの画像形成装置１８０、コンピュータ１８１、携帯用装置１８２に接続することができる。
ホスト装置１００は、通信インターフェース部１３０を用いて保存部に保存されている第１のファイル（図示せず）または第２のファイル（図示せず）に対して、外部装置を用いて対応する作業を行うことができる。
【００３３】
ウェブキャプチャーアプリケーション１４０は、ウェブ画面キャプチャーパート１４１、第１の共有クリップボードパート１４２、ファイルの保存／オープンパート１４３または第１の共有クリップボードオープンパート１４４を含む。
ウェブ画面キャプチャーパート１４１は、表示部１６０に表示されるウェブブラウザの画面３２０（例えば、ウェブページ）から、入力部１６１を用いてユーザが選択した第１のキャプチャー領域３２１をキャプチャーすることができる。
キャプチャーされる第１のキャプチャー領域３２１は、スクロールキャプチャー（ｓｃｒｏｌｌ  ｃａｐｔｕｒｅ）を用いた画面３２０の全部、または選択キャプチャーを用いた画面３２０の一部分でよい。
【００３４】
第１の共有クリップボードパート１４２は、ウェブ画面キャプチャーパート１４１によってキャプチャーされた第１のキャプチャー領域３２１を追加することができる。キャプチャーされた第１のキャプチャー領域３２１は、第１の共有クリップボード３３０における画面領域３３２のページ領域３３３に追加される。
第１の共有クリップボード３３０は、少なくとも一つのページ領域３３３を含む画面領域３３２と、ページ領域３３３に追加される第１のキャプチャー領域３２１を編集する少なくとも一つのメニューアイコンを含むメニュー領域３３１と、を含む。
第１の共有クリップボード３３０のページ領域３３３は、ホスト装置１００と接続している画像形成装置１８０が支援する記録媒体（例えば、Ａ４、Ａ３、ｌｅｔｔｅｒ、ｌｅｇａｌなど）の大きさに対応して表示される。
【００３５】
ホスト装置１００は、電源スイッチがオンになってホスト装置１００がブーティングされる場合、ウェブキャプチャーアプリケーション１４０が駆動される場合、またはホスト装置１００がブーティングされた後に予め定められた周期（例えば、１０分、変更可能）で、通信インターフェース部１３０を用いて、支援する記録媒体の大きさを含む装置情報を画像形成装置１８０に要請でき、画像形成装置１８０から受信した装置情報を用いて第１の共有クリップボード３３０のページ領域３３３を設定できる。
【００３６】
また、ホスト装置１００は、ユーザがウェブキャプチャーアプリケーション１４０におけるメニュー領域３３１のページ領域設定（図３参照）を用いてページ領域３３３に対応する記録媒体の大きさを設定することや、少なくとも一つのホスト装置１００に設置されたウェブキャプチャーアプリケーション１４０を管理するサーバー（図示せず）のソリューションプログラム（ｓｏｌｕｔｉｏｎ）（図示せず）を用いて、管理者により予め設定された記録媒体の大きさ（例えば、Ａ４のみ使用）を、第１の共有クリップボード３３０のページ領域３３３として設定して表示することができる。
【００３７】
第１の共有クリップボード３３０の画面領域３３２に表示されるページ領域３３３は、ユーザの入力により追加または削除されてよい。
ファイル保存／オープンパート１４３は、ページ領域３３３に追加された第１のキャプチャー領域３２１を、保存部または外部装置に第１のファイル（図示せず）として保存することができる。
第１のファイル（図示せず）は、ＰＤＦ、ＴＩＦＦ、Ｗ２Ｐのファイル拡張子を有することができる。また、ＴＸＴ、ＲＴＦの拡張子を有するテキストファイルやＤＯＣファイルとして保存部及び外部装置の少なくとも一つに保存してもよい。
【００３８】
また、保存部または外部装置に保存されたイメージファイルまたはテキストファイルの少なくとも一つを、第１の共有クリップボード３３０で開くことができる。
保存可能なファイルのうち、Ｗ２Ｐファイルは、ウェブキャプチャーアプリケーション１４０及びキャプチャーアプリケーション１５０において相互互換可能であり、Ｗ２Ｐの他、ウェブキャプチャーアプリケーション１４０及びキャプチャーアプリケーション１５０において相互互換可能なファイル拡張子であれば充分である。
【００３９】
Ｗ２Ｐファイルとして保存される場合、ウェブキャプチャーアプリケーション１４０の第１の共有クリップボード３３０またはキャプチャーアプリケーション１５０の第２の共有クリップボード５３０は、既に保存されているＷ２Ｐファイルの「開く（ｏｐｅｎ）」、「編集（ｅｄｉｔ）」及び「保存（ｓａｖｅ）」が可能である。
以下では、「開く（ｏｐｅｎ）」と「オープン（ｏｐｅｎ）」は同一の意味を有するものとする。
【００４０】
第１の共有クリップボードオープンパート１４４は、キャプチャーアプリケーション１５０の第２の共有クリップボード５３０（図５参照）に追加された第２のキャプチャー領域５２１（図６参照）（Ｗ２Ｐファイルとして保存される前のもの）を、第１の共有クリップボード３３０で開くことができる。
【００４１】
ウェブキャプチャーアプリケーション１４０及びキャプチャーアプリケーション１５０が共に駆動中の場合、キャプチャーアプリケーション１５０の第２の共有クリップボード５３０のページ領域５３３に追加された第２のキャプチャー領域５２１は、保存部に臨時保存されてよい。ウェブキャプチャーアプリケーション１４０における第１の共有クリップボード３３０は、臨時保存されている第２のキャプチャー領域５２１を開いて表示することができる。
【００４２】
キャプチャーアプリケーション１５０は、壁紙キャプチャーパート１５１、第２の共有クリップボードパート１５２、ファイル保存／オープンパート１５３または第２の共有クリップボードオープンパート１５４を含む。
壁紙キャプチャーパート１５１は、表示部１６０に表示される壁紙５２０（図５参照）から、入力部１６１を用いてユーザが選択した第２のキャプチャー領域５２１をキャプチャーできる。
キャプチャーされる第２のキャプチャー領域５２１は、壁紙５２０の全部または選択キャプチャーを用いた壁紙５２０の一部分であってもよい。
【００４３】
第２の共有クリップボードパート１５２は、壁紙キャプチャーパート１５１によりキャプチャーされた第２のキャプチャー領域５２１を追加することができる。キャプチャーされた第２のキャプチャー領域５２１は、第２の共有クリップボード５３０における画面領域５３２のページ領域５３３に追加されてよい。
【００４４】
第２の共有クリップボード５３０は、少なくとも一つのページ領域５３３を含む画面領域５３２と、ページ領域５３３に追加される第２のキャプチャー領域５２１を編集する少なくとも一つのメニューアイコンを含むメニュー領域５３１と、を含む。
第２の共有クリップボード５３０のページ領域５３３は、ホスト装置１００と接続している画像形成装置１８０が支援する記録媒体（例えば、Ａ４、Ａ３、ｌｅｔｔｅｒなど）の大きさに対応して表示される。
【００４５】
ホスト装置１００は、電源スイッチがオン（ｏｎ）になってブーティングされる場合、キャプチャーアプリケーション１５０が駆動される場合、またはホスト装置１００がブーティングされた後、予め定められた周期（例えば、１０分、変更可能）で、通信インターフェース部１３０を用いて、支援する記録媒体の大きさを含む装置情報を画像形成装置１８０に要請することができ、画像形成装置１８０から受信した装置情報を用いて第２の共有クリップボード５３０のページ領域５３３を設定することができる。
【００４６】
また、ホスト装置１００は、ユーザがキャプチャーアプリケーション１５０におけるメニュー領域５３１のページ領域設定（図５参照）を用いてページ領域５３３に対応する記録媒体の大きさを設定することや、少なくとも一つのホスト装置１００に設置されたキャプチャーアプリケーション１５０を管理するサーバー（図示せず）のソリューションプログラム（図示せず）を用いて、管理者により予め設定された記録媒体の大きさ（例えば、Ａ４のみ使用）を、第２の共有クリップボード５３０のページ領域５３３に設定して表示することができる。
【００４７】
第２の共有クリップボード５３０の画面領域５３２に表示されるページ領域５３３は、ユーザの入力により追加または削除されてよい。
ファイル保存／オープンパート１５３は、ページ領域５３３に追加された第２のキャプチャー領域５２１を保存部または外部装置に第２のファイル（図示せず）として保存することができる。
第２のファイル（図示せず）として保存可能なファイルは、ＰＤＦ、ＴＩＦＦ、Ｗ２Ｐのファイル拡張子を有することができる。また、ＴＸＴ、ＲＴＦの拡張子を有するテキストファイルやＤＯＣファイルとして保存部または外部装置に保存することもできる。
【００４８】
また、保存部または外部装置に保存されているイメージファイル及びテキストファイルの少なくとも一つを、第２の共有クリップボード５３０で開くことができる。
保存可能なファイルのうち、Ｗ２Ｐファイルは、キャプチャーアプリケーション１５０及びウェブキャプチャーアプリケーション１４０において相互互換可能であり、Ｗ２Ｐの他、キャプチャーアプリケーション１５０及びウェブキャプチャーアプリケーション１４０が相互互換可能なファイル拡張子であれば充分である。
【００４９】
第１のファイル（図示せず）がＷ２Ｐファイルとして保存される場合、ウェブキャプチャーアプリケーション１５０の第２の共有クリップボード５３０またはウェブキャプチャーアプリケーション１４０の第１の共有クリップボード３３０は、Ｗ２Ｐファイルの「開く」、「編集」及び「保存」が可能である。
【００５０】
第２の共有クリップボードオープンパート１５４は、ウェブキャプチャーアプリケーション１４０における第１の共有クリップボード３３０に追加された第１のキャプチャー領域３２１（Ｗ２Ｐファイルとして保存される前のもの）を、第２の共有クリップボード５３０で開くことができる。
【００５１】
ウェブキャプチャーアプリケーション１４０及びキャプチャーアプリケーション１５０が共に駆動中の場合、ウェブキャプチャーアプリケーション１４０における第１の共有クリップボード３３０のページ領域３３３に追加された第１のキャプチャー領域３２１は、保存部に臨時保存されてよい。キャプチャーアプリケーション１５０における第２の共有クリップボード５３０は、臨時保存されている第１のキャプチャー領域３２１を開いて表示することができる。
【００５２】
図１を参照すると、ウェブキャプチャーアプリケーション１４０は第１の共有クリップボード３３０を、キャプチャーアプリケーション１５０は第２の共有クリップボード５３０をそれぞれ備えているが、ウェブキャプチャーアプリケーション１４０とキャプチャーアプリケーション１５０は、一つの共有クリップボード（図示せず）で具現されてもよい。
【００５３】
この場合、ウェブキャプチャーアプリケーション１４０は、ウェブ画面キャプチャーパート１４１、ファイル保存／オープンパート１４３または共有クリップボードオープンパート１４４を含み、これに対応して、キャプチャーアプリケーション１５０も、壁紙キャプチャーパート１５１、ファイル保存／オープンパート１４３または共有クリップボードオープンパート１５４を含む。共有クリップボードオープンパート１４４，１５４は、共有クリップボード（図示せず）にそれぞれ追加されて臨時保存されたキャプチャー領域３２１，５２１を開くことができる。
【００５４】
ウェブキャプチャーアプリケーション１４０及びキャプチャーアプリケーション１５０は、共有クリップボード（図示せず）を共有することができる。ウェブキャプチャーアプリケーション１４０のウェブ画面キャプチャーパート１４１は、ウェブブラウザ３１０の画面３２０から第１のキャプチャー領域３２１をキャプチャーし、キャプチャーされた第１のキャプチャー領域３２１は共有クリップボード（図示せず）に追加されてよい。
【００５５】
ファイル保存／オープンパート１４３は、共有クリップボード（図示せず）に追加された第１のキャプチャー領域３２１を保存部または外部装置に第１のファイル（図示せず）として保存することができ、既に保存されているイメージファイル及びテキストファイルの少なくとも一つを開くこともできる。
共有クリップボードオープンパート１４４は、キャプチャーアプリケーション１５０の壁紙５２０からキャプチャーされて臨時保存された第２のキャプチャー領域５２１を開くことができる。
【００５６】
ウェブキャプチャーアプリケーション１４０と同様に、キャプチャーアプリケーション１５０の壁紙キャプチャーパート１５１は、壁紙５２０から第２のキャプチャー領域５２１をキャプチャーし、キャプチャーされた第２のキャプチャー領域５２１は画面キャプチャーボード（図示せず）に追加されてよい。
ファイル保存／オープンパート１５３は、共有クリップボード（図示せず）に追加された第２のキャプチャー領域５２１を保存部または外部装置に第２のファイル（図示せず）として保存することができ、既に保存されたイメージファイル及びテキストファイルの少なくとも一つを開くこともできる。
共有クリップボードオープンパート１５４は、ウェブキャプチャーアプリケーション１４０のウェブブラウザ３１０の画面３２０からキャプチャーされて臨時保存された第２のキャプチャー領域５２１を開くことができる。
【００５７】
画像形成装置１８０は、有線／無線ネットワーク１７０またはＵＳＢインターフェース１７１を介してホスト装置１００と接続する。
そして、画像形成装置１８０は、ホスト装置１００における第１の共有クリップボード３３０のページ領域３３３または第２の共有クリップボード５３０のページ領域５３３に対応する画像形成装置１８０が支援する記録媒体の大きさを含む装置情報に対する要請を受信し、それについてホスト装置１００に応答することができる。
【００５８】
ここで、装置情報とは、プリンタに設定される情報であり、例えば、モデル名（ｍｏｄｅｌ  ｎａｍｅ）、装置名（ｄｅｖｉｃｅ  ｎａｍｅ）、装置識別子（ｄｅｖｉｃｅ  ＩＤ）、ＩＰアドレス、記録媒体（ｒｅｃｏｒｄｉｎｇ  ｍｅｄｉｕｍ）の大きさ及び出力カウンター情報の少なくとも一つを含む。
記録媒体の大きさを含む装置情報は、画像形成装置１８０の保存部に保存されている。ここで、ハードディスクドライブ（図示せず）、制御部（図示せず）内のＲＯＭ（図示せず）またはＲＡＭ（図示せず）を保存部とすることができる。
【００５９】
画像形成装置１８０は、コンピュータ１８１またはホスト装置１００から入力される印刷データを、カラー及びモノ（ｍｏｎｏ）の少なくとも一つとして印刷することができる。
また、画像形成装置１８０が複合機の場合、スキャン部（図示せず）、ファックス部（図示せず）を含むことができる。
【００６０】
ファックス部（図示せず）は、スキャン部（図示せず）でスキャンして生成されたイメージデータを、電話ライン（ｔｅｌ−ｌｉｎｅ）（図示せず）を通じて他のファクシミリ（図示せず）に伝送する、イーメールに添付して外部装置にイーメール送信する、または、ファイルとして保存して外部装置にファイル伝送することができる。
【００６１】
ホスト装置１００は、携帯電話、スマートフォン、タブレットＰＣ、ハンドヘルドＰＣなどの携帯用装置でよい。この場合、ホスト装置１００の通信インターフェース１３０は、該当のファイルデータを無線で他の携帯電話またはスマートフォンに伝送することができる。
【００６２】
図２は、本発明の一実施形態に係るホスト装置の画面キャプチャー制御方法を説明するためのフローチャートである。
図２を参照すると、ステップＳ２０１で、ホスト装置１００の表示部１６０にウェブキャプチャーアプリケーション１４０またはキャプチャーアプリケーション１５０が表示される。
【００６３】
表示されるウェブキャプチャーアプリケーション１４０またはキャプチャーアプリケーション１５０は、別個の短縮アイコン（ｓｈｏｒｔｃｕｔ）として表示することができ、表示される別個の短縮アイコンを用いてウェブキャプチャーアプリケーション１４０またはキャプチャーアプリケーション１５０を駆動することができる。
ウェブキャプチャーアプリケーション１４０は、ウェブブラウザ３１０にプラグイン（ｐｌｕｇ−ｉｎ）することができ、ウェブブラウザ３１０を駆動した後に、ウェブブラウザ３１０のツールバー３１１からウェブキャプチャーアプリケーション１４０に対応する短縮アイコン３１２を選択して駆動すればよい。
キャプチャーアプリケーション１５０は、入力部１６１に含まれるキーボード（図示せず）におけるあらかじめ設定されたショートカットキー（例えば、ＰｒｉｎｔＳｃｒｅｅｎキー）により駆動することができる。
【００６４】
また、ホスト装置１００の運営体制から提供されるシステムトレイにウェブキャプチャーアプリケーション１４０またはキャプチャーアプリケーション１５０に対応して表示される短縮アイコン（図示せず）を選択して駆動することもできる。
ステップＳ２０２で、入力部１６１を用いて表示部１６０に表示されるウェブキャプチャーアプリケーション１４０を駆動する。ウェブキャプチャーアプリケーション１４０の初期ユーザーインターフェース画面については図３を参照して説明する。
【００６５】
図３は、本発明の一実施形態に係るウェブキャプチャーアプリケーションの初期ユーザーインターフェース画面の例示図である。
駆動されるウェブキャプチャーアプリケーション１４０は、ウェブページが表示され、入力部１６１によりキャプチャー領域が入力される画面３２０と、第１の共有クリップボード３３０と、を含む。
【００６６】
ウェブキャプチャーアプリケーション１４０が駆動される場合、ウェブキャプチャーアプリケーション１４０は、表示される画面３２０中のキャプチャー可能な全体領域を臨時保存することができる。
ウェブキャプチャーアプリケーション１４０における画面３２０の一側に、第１の共有クリップボード３３０が表示され、第１の共有クリップボード３３０の画面３２０での位置（例えば、画面３２０の上側、下側、左側、右側）は、ユーザの入力によって変更可能である。
第１の共有クリップボード３３０の位置または大きさに対応して、ウェブキャプチャーアプリケーション１４０の画面３２０がシフト（この場合、上、下、左、右へとスクロール可能）されたり、画面３２０の大きさが縮小したりして変更されることがある。
【００６７】
第１の共有クリップボード３３０は、少なくとも一つのページ領域３３３を含む画面領域３３２と、ページ領域３３３に追加される第１のキャプチャー領域３２１を編集する少なくとも一つのメニューアイコンを含むメニュー領域３３１と、を含む。
画面領域３３２のページ領域３３３は、ホスト装置１００と接続している画像形成装置１８０が支援する記録媒体の大きさに対応して表示される。
第１の共有クリップボード３３０は非表示（Ｈｉｄｅ）とすることができ、この場合、画面３２０の大きさは変更して表示されてよい。
【００６８】
メニュー領域３３１は、「ページ領域追加」、「ページ領域削除」、「ページ領域設」定、「編集」、「開く」、「保存」、「印刷」、「ファックス伝送」、「ファイル伝送」または「共有クリップボードを開く」に対応するクイックツールを含むことができる。
クイックツールを用いて、第１の共有クリップボード３３０に追加される第１のキャプチャー領域３２１を編集または保存することができる。また、第１のキャプチャー領域３２１を含むページ領域３３３のプレビュー（ｐｒｅｖｉｅｗ）も可能である。
【００６９】
編集または保存された第１のファイル（図示せず）に対して外部装置を用いて対応する作業を行うことができ、当該作業は、印刷、ファックス伝送、及びファイル伝送の少なくとも一つを含むことができる。
【００７０】
図２のステップＳ２０３において、ウェブキャプチャーアプリケーション１４０を用いてウェブブラウザ３１０の画面３２０から第１のキャプチャー領域３２１をキャプチャーする。
ウェブキャプチャーアプリケーション１４０のウェブキャプチャー動作については、図４を参照して詳細に説明する。
【００７１】
図４は、本発明の一実施形態に係るウェブキャプチャーアプリケーションでウェブブラウザ画面の第１のキャプチャー領域をキャプチャーして共有クリップボードに追加するユーザーインターフェース画面の例示図である。
図４を参照すると、ユーザ入力によってウェブブラウザ３１０の画面３２０から入力部１６１を用いて第１のキャプチャー領域３２１をキャプチャーする。
第１のキャプチャー領域３２１の形状は、多角形の他、閉曲線を含むこともできる。
【００７２】
第１のキャプチャー領域３２１について入力部１６１を用いてキャプチャーする場合、ウェブキャプチャーアプリケーション１４０を駆動させた時、臨時保存されていた画面３２０の全体領域において第１のキャプチャー領域３２１に対応する座標を把握し、画面３２０の全体領域に対応するＨＴＭＬ文書をパーシング（ｐａｒｓｉｎｇ）することで、座標中に含まれたテキストを抽出することができる。
【００７３】
抽出されたテキストは、ファイルとして保存できる。そして、座標を用いて第１のキャプチャー領域３２１に対応するイメージを抽出することができる。
抽出されたテキストに対応するテキストオブジェクト及び抽出されたイメージは、ベクタグラフィック（ｖｅｃｔｏｒ  ｇｒａｐｈｉｃ）形式であるＥＭＦ（Ｅｎｈａｎｃｅｄ  Ｍｅｔａ  Ｆｉｌｅ）ファイルとして保存することができる。
また、キャプチャーされた第１のキャプチャー領域３２１は、画面３２０と区別して表示するとよい。
【００７４】
図２を参照すると、ステップＳ２０４において、キャプチャーされた第１のキャプチャー領域３２１（ＥＭＦファイル）を、第１の共有クリップボード３３０に追加する。
図４を参照すると、画面３２０から入力部１６１を用いて第１のキャプチャー領域３２１を選択しドラッグ（ｄｒａｇ）して第１の共有クリップボード３３０のページ領域３３３にドロップ（ｄｒｏｐ）することで追加できる。
入力部１６１を用いて、第１のキャプチャー領域３２１に対応するコンテクスト（ｃｏｎｔｅｘｔ）メニュー３２２を画面３２０に表示し、コンテクストメニュー３２２から「共有クリップボードへ移動」を選択することで、該第１のキャプチャー領域３２１を第１の共有クリップボード３３０に移動させて追加することもできる。
【００７５】
移動される第１のキャプチャー領域３２１の大きさは、第１の共有クリップボード１４０のページ領域３３３の大きさに対応するように変更できる。
ユーザは、画像形成装置１８０が支援する記録媒体の大きさを参照して、第１のキャプチャー領域３２１の実際の大きさを計ることができる。
ユーザは、また、画面３２０からキャプチャー領域（ＥＭＦファイル）をさらにキャプチャーして第１の共有クリップボード３３０に追加することができる。
【００７６】
図２を参照すると、ステップＳ２０４において、ＯＬＥ個体を第１の共有クリップボード３３０に追加することができる。
ＯＬＥ個体を第１の共有クリップボード３３０に追加する方法の一つを、図８を用いて説明する。
【００７７】
図８は、本発明の一実施形態に係る共有クリップボードにＯＬＥ個体を追加するユーザーインターフェース画面の例示図である。
図８を参照すると、入力部１６１を用いて、スプレッドシートアプリケーション８１０（例えば、マイクロソフト、オフィス、エクセル）で生成されたＯＬＥ個体（例えば、グラフ８１１）を選択し、入力部１６１を用いてグラフ８１１に対応するコンテクストメニュー８１２を表示し、コンテクストメニュー８１２から「共有クリップボードへ移動」を選択することで、当該ＯＬＥ個体を第２の共有クリップボード５３０に移動することができる。
【００７８】
図８は、キャプチャーアプリケーション１５０を用いて第２の共有クリップボード５３０にグラフ８１１を追加する一例を示す図であり、ウェブキャプチャーアプリケーション１４０を用いて第１の共有クリップボード３３０にもグラフ８１１を同様に追加することができる。
【００７９】
ＯＬＥ個体を第２の共有クリップボード５３０に追加する他の方法は、スプレッドシートアプリケーション８１０で生成されたグラフ８１１を選択し、グラフ８１１に対応するコンテクストメニュー８１２から「コピー（ｃｏｐｙ）」を選択する。
次に、キャプチャーアプリケーション１５０を実行し、壁紙５２０からキャプチャーされた第２のキャプチャー領域５２１が追加されている第２の共有クリップボード５３０のページ領域５３３において、コンテクストメニュー（図示せず）から「貼り付け（ｐａｓｔｅ）」を選択することで、第２の共有クリップボード５３０にグラフ８１１が追加され、第２のキャプチャー領域５２１及びグラフ８１１が共に表示することができる。
【００８０】
図２を参照すると、ステップＳ２０４において、第１の共有クリップボード３３０には、第１のキャプチャー領域３２１及びグラフ８１２が共に表示されている。
表示された第１のキャプチャー領域３２１及びグラフ８１２の少なくとも一つは、入力部１６１及びメニュー領域３３１を用いて位置または大きさを変更することができる。
【００８１】
図２のステップＳ２０５において、第１の共有クリップボード３３０に追加された第１のキャプチャー領域３２１を含むページ領域３３３を、第１のファイル（図示せず）として保存部または外部装置に保存する。
第１のファイル（図示せず）は、ＰＤＦ、ＴＩＦＦ、Ｗ２Ｐのファイル拡張子にて保存することが好ましい。
Ｗ２Ｐファイルは、ベクタグラフィック形式である少なくとも一つのイメージ、少なくとも一つのイメージ配置（ｌａｙｏｕｔ）座標、順序（ｏｒｄｅｒ）、選択的に追加されるテキストオブジェクトまたは画面３２０のアドレス情報（例えば、ＵＲＬなど）のうち、複数の項目を含むことができる。
複数の項目は、ＸＭＬ（ｅＸｔｅｎｄｅｄ  Ｍａｒｋｕｐ  Ｌａｎｇｕａｇｅ）を含むマークアップ言語（ｍａｒｋｕｐ  ｌａｎｇｕａｇｅ）にて保存することが好ましい。
【００８２】
ＵＲＬ情報を有するキャプチャー領域またはファイルの場合、ダブルクリックすることや、コンテクストメニュー中の「ウェブページを開く」を選択することで、ウェブブラウザ３１０を通じて対応するウェブページを表示することができる。
【００８３】
Ｗ２Ｐファイルとして保存する場合、ウェブキャプチャーアプリケーション１４０の第１の共有クリップボード３３０及びキャプチャーアプリケーション１５０の第２の共有クリップボード５３０は、Ｗ２Ｐファイルを互いに「開く」、「編集」または「保存」することが可能である。
ＰＤＦファイルの場合、第１のキャプチャー領域３２１に対応する抽出されたテキストオブジェクトが含まれる検索可能ＰＤＦ（ｓｅａｒｃｈａｂｌｅ  ＰＤＦ）ファイルとして保存することが好ましい。
また、抽出されたテキストオブジェクトを用いてＴＸＴ、ＲＴＦ拡張子を有するテキストファイルまたはＤＯＣファイルとして保存することもできる。
【００８４】
第１のファイル（図示せず）は、第１のキャプチャー領域３２１のみ保存されるものとしてもよい。
第１の共有クリップボード３３０に複数のキャプチャー領域が追加される場合、キャプチャー領域に対応するそれぞれのファイルとして保存することができる。また、ページ領域３３３が複数個である場合、複数のページ領域３３３を含めて第１のファイルとして保存することができる。
【００８５】
図２のステップＳ２０６において、ウェブキャプチャーアプリケーション１４０を終了する。
ウェブブラウザ３１０はそのまま駆動させ、ウェブキャプチャーアプリケーション１４０のみを終了することができる。
【００８６】
図２のステップＳ２０７において、表示部１６０でキャプチャーアプリケーション１５０が駆動される。
キャプチャーアプリケーション１５０に対応する短縮アイコンの選択、ホスト装置１００の運営体制から提供されるシステムトレイに表示される短縮アイコンの選択、またはキーボード（図示せず）に予め設定されたショートカットキーの入力によって、キャプチャーアプリケーション１５０を駆動させることができる。
【００８７】
図５は、本発明の一実施形態に係るキャプチャーアプリケーションの初期ユーザーインターフェース画面の例示図である。
駆動されるキャプチャーアプリケーション１５０は、表示部１６０で表示され、入力部１６１によりキャプチャー領域が入力される壁紙５２０と、第２の共有クリップボード５３０と、を含む。
【００８８】
キャプチャーアプリケーション１５０が駆動される場合、キャプチャーアプリケーション１５０は、表示される壁紙５２０内のキャプチャー可能な全体領域を臨時保存することができる。
【００８９】
キャプチャーアプリケーション１５０の壁紙５２０の一側に、第２の共有クリップボード５３０が表示され、第２の共有クリップボード５３０の壁紙５２０での位置（例えば、壁紙５２０の上側、下側、左側、右側）は、ユーザの入力によって変更可能である。
第２の共有クリップボード５３０の位置または大きさに対応して、キャプチャーアプリケーション１５０の壁紙５２０がシフト（この場合、上、下、左、右のスクロール可能）されたり、壁紙５２０の大きさが縮小したりして変更されることがある。
【００９０】
第２の共有クリップボード５３０は、少なくとも一つのページ領域５３３を含む画面領域５３２と、ページ領域５３３に追加される第２のキャプチャー領域５２１を編集する少なくとも一つのメニューアイコンを含むメニュー領域５３１と、を含む。
画面領域５３２のページ領域５３３は、ホスト装置１００と接続している画像形成装置１８０が支援する記録媒体の大きさに対応して表示される。
第２の共有クリップボード５３０は、非表示（ｈｉｄｅ）としてもよく、これに対応して壁紙５２０の大きさは変更して表示される。
【００９１】
メニュー領域５３１は、「ページ領域追加」、「ページ領域削除」、「ページ領域設定」、「編集」、「開く」、「保存」、「印刷」、「ファックス伝送」、「ファイル伝送」または「共有クリップボードを開く」に対応するクイックツールを含むことができる。
【００９２】
クイックツールを用いて第２の共有クリップボード５３０に追加される第２のキャプチャー領域５２１を編集または保存することができる。また、第２のキャプチャー領域５２１を含むページ領域５３３のプレビューも可能である。
編集または保存された第２のファイル（図示せず）に対して外部装置を用いて対応する作業を行うことができる。
該作業は、印刷、ファックス伝送、ファイル伝送の少なくとも一つを含むことができる。
【００９３】
図２のステップＳ２０８において、第２の共有クリップボード５３０で第１のファイル（図示せず）を開く。キャプチャーアプリケーション１５０の「開く」動作については、図７を参照して詳細に説明する。
【００９４】
図７は、本発明の一実施例に係るキャプチャーアプリケーションで既に保存されたファイルを開くユーザーインターフェース画面の例示図である。
図７を参照すると、キャプチャーアプリケーション１５０の一側に表示される第２の共有クリップボード５３０においてコンテクストメニュー（図示せず）を用いて「開く」を選択した場合や、メニュー領域５３１の「開く」を選択した場合に、ユーザーインターフェース画面には既に保存された第１のファイル、イメージファイル及びテキストファイルの少なくとも一つを含むファイルリスト（図示せず）またはサムネイル（ｔｈｕｍｂｎａｉｌ）イメージ７１０，７２０が表示される。
また、表示されるサムネイルイメージ７１０が複数のページを含む場合には、ユーザーインターフェース画面には、複数のページの移動のためのページ移動キー７１１が表示されることが好ましい。
【００９５】
ファイルリスト（図示せず）またはサムネイルイメージ７１０，７２０は、第２の共有クリップボード５３０の一側に表示され、壁紙５２０とオーバーラップ（ｏｖｅｒｌａｐ）していてもよい。
表示されるファイルリスト（図示せず）からファイル名を選択する、または、サムネイルイメージ７１０，７２０から少なくとも一つのサムネイルイメージを選択することで、第２の共有クリップボード５３０にファイルが追加される。
【００９６】
開いたファイルがＷ２Ｐファイルである場合、ファイルは、保存された形式（例えば、少なくとも一つのイメージ、少なくとも一つのイメージ配置座標、順序、テキストオブジェクト、またはＵＲＬ情報など）を維持したまま第２の共有クリップボード５３０に追加される。
また、選択されたファイル名またはサムネイルイメージ７１０は、非選択されたファイルまたはサムネイルイメージ７２０と区別して表示されることが好ましい。
【００９７】
図２のステップＳ２０９において、キャプチャーアプリケーション１５０を用いて壁紙５２０から第２のキャプチャー領域５２１をキャプチャーする。
キャプチャーアプリケーション１５０のキャプチャー動作については、図６を参照して詳細に説明する。
【００９８】
図６は、本発明の一実施形態に係るキャプチャーアプリケーションで壁紙の第２の領域をキャプチャーして第１の領域が表示される共有クリップボードに追加するユーザーインターフェース画面の例示図である。
図６を参照すると、ユーザ入力によって壁紙５２０から入力部１６１を用いて第２のキャプチャー領域５２１をキャプチャーする。
第２のキャプチャー領域５２１の形状は、多角形の他、閉曲線を含むこともできる。
【００９９】
第２のキャプチャー領域５２１について入力部１６１を用いてキャプチャーする場合、キャプチャーアプリケーション１５０が駆動される時、臨時保存された壁紙５２０の全体領域から第２のキャプチャー領域５２１に対応する座標に対応するイメージを抽出して、ビットマップ（ｂｉｔｍａｐ）ファイルとして保存する。
キャプチャーされた第１のキャプチャー領域５２１は、壁紙５２０と区別して表示されることが好ましい。
【０１００】
図２のステップＳ２１０において、キャプチャーされた第２のキャプチャー領域５２１（ビットマップファイル）は、第１のキャプチャー領域３２１が表示された第２の共有クリップボード５３０に追加される。
【０１０１】
図６を参照すると、キャプチャーされた第２のキャプチャー領域５２１の追加は、壁紙５２０から入力部１６１を用いてキャプチャーされた第２のキャプチャー領域５２１を選択してドラッグし、第２の共有クリップボード５３０のページ領域５３３にドロップすることで行うことができる。
また、キャプチャー領域５２１の追加は、壁紙５２０において入力部１６１を用いて第２のキャプチャー領域５２１に対応するコンテクストメニュー５２２を表示し、コンテクストメニュー５２２から「共有クリップボードへ移動」を選択することで、第２のキャプチャー領域５２１を第２の共有クリップボード５３０に移動させて行うこともできる。
【０１０２】
移動される第２のキャプチャー領域５２１の大きさは、第２の共有クリップボード５３０のページ領域５３３の大きさに対応して変更されてよい。
ユーザは、画像形成装置１８０が支援する記録媒体の大きさを参照して、第２のキャプチャー領域５２１の実際の大きさを計ることができる。
ユーザは、また、壁紙５２０からキャプチャー領域（ビットマップファイル）をさらにキャプチャーして第２の共有クリップボード５３０に追加することもできる。
【０１０３】
図２を参照すると、ステップＳ２１０において、ＯＬＥ個体を第２の共有クリップボード５３０に追加することができる。
ＯＬＥ個体をキャプチャーアプリケーション１５０の第２の共有クリップボード５３０に追加する方法は、図２のステップＳ２０４と同様に行えばよく、上述した図２のステップＳ２０４の全部または一部を行うことでＯＬＥ個体を追加することができる。
【０１０４】
図２のステップＳ２１０において、第２の共有クリップボード５３０には、開いた第１のファイルに対応する第１のキャプチャー領域３２１、第２のキャプチャー領域５２１及びＯＬＥ個体に対応するグラフ８１２を共に表示することができる。
第１のキャプチャー領域３２１、第２のキャプチャー領域５２１及びグラフ８１２の少なくとも一つは、入力部１６１及びメニュー領域５３１を用いて、第２の共有クリップボード５３０のページ領域３３３に表示される位置または大きさを変更することができる。
【０１０５】
図２のステップＳ２１１において、第２の共有クリップボード５３０に表示された第１のキャプチャー領域３２１、追加された第２のキャプチャー領域５２１及びグラフ８１２の少なくとも一つを編集することができ、編集せずに第２のファイル（図示せず）として保存することもできる。
【０１０６】
図２のステップＳ２１２において、第２の共有クリップボード３３０に表示された第１のキャプチャー領域３２１、第２のキャプチャー領域５２１またはグラフ８１１を、第２のファイル（図示せず）として保存部または外部装置に保存する。
【０１０７】
第２のファイル（図示せず）は、ＰＤＦ、ＴＩＦＦ、Ｗ２Ｐのファイル拡張子にて保存されることが好ましい。
また、Ｗ２Ｐファイルは、ビットマップ形式である少なくとも一つのイメージ、少なくとも一つのイメージ配置（ｌａｙｏｕｔ）座標、順序（ｏｒｄｅｒ）、選択的に追加されるテキストオブジェクトの複数の項目を含むことができ、複数の項目は、ＸＭＬを含むマークアップ言語にて保存されることが好ましい。
【０１０８】
キャプチャーアプリケーション１５０でキャプチャーされた第２のキャプチャー領域５２１は、ビットマップ形式であるからテキストを含まないが、Ｗ２Ｐファイルとして保存される場合には、テキストオブジェクトが保存されうるように割り当てられ、以降テキストを追加することが可能である。
【０１０９】
第２のファイル（図示せず）がＷ２Ｐファイルとして保存される場合、キャプチャーアプリケーション１５０の第２の共有クリップボード５３０またはウェブキャプチャーアプリケーション１４０の第１の共有クリップボード３３０は、互いにＷ２Ｐファイルの「開く」、「編集」または「保存」の操作が可能である。
【０１１０】
ＰＤＦファイルは、第２のキャプチャー領域５２１に対応するテキストオブジェクトがないから、検索可能ＰＤＦファイルではなく、イメージからなるＰＤＦとして保存されればよい。
光学文字認識（Ｏｐｔｉｃａｌ  Ｃｈａｒａｃｔｅｒ  Ｒｅｃｏｇｎｉｔｉｏｎ：ＯＣＲ）機能を用いてビットマップ形式の第２のキャプチャー領域５２１をテキストファイルとして保存することができる。第２のキャプチャー領域５２１に含まれるテキストを、ＯＣＲ機能を用いてテキスト認識し、ＴＸＴ、ＲＴＦ拡張子を有するテキストファイルまたはＤＯＣファイルとして保存することができる。文字認識をする場合、Ｗ２Ｐファイルのテキストオブジェクトとして追加されてもよい。
【０１１１】
第２のファイル（図示せず）は、壁紙５２０からキャプチャーした第２のキャプチャー領域５２１のみ保存されるものとしてもよい。
第２の共有クリップボード５３０に複数のキャプチャー領域が追加された場合、対応するそれぞれのファイルとして保存することができる。ページ領域５３３が複数である場合、複数のページ領域５３３を含めて第２のファイルとして保存することができる。
【０１１２】
図２のステップＳ２１３で、保存された第２のファイルに対応する作業を行う。
対応する作業は、通信インターフェース部１３０を通じて画像形成装置１８０に第２のファイル（図示せず）を伝送して印刷すること、画像形成装置１８０のファックス部（図示せず）を用いて第２のファイルを他のファクシミリにファックス伝送すること、または、通信インターフェース部１３０を通じてコンピュータ１８１または携帯用装置１８２に第２のファイル（図示せず）を伝送するファイル伝送をすることのうち少なくとも一つを含むことができる。
作業が完了すると、終了する。
【０１１３】
図９は、本発明の一実施形態係る複数の表示部に表示されるそれぞれのウェブキャプチャーアプリケーション及びキャプチャーアプリケーションの初期ユーザーインターフェース画面の例示図である。
図９を参照すると、第１の表示部ではウェブキャプチャーアプリケーション１４０が、第２の表示部ではキャプチャーアプリケーション１５０が、それぞれ駆動していることが望ましい。
【０１１４】
第１の表示部で駆動するウェブキャプチャーアプリケーション１４０のウェブキャプチャー動作は、図３及び図４を参照して説明したとおりである。
第１の表示部に表示されるウェブブラウザ３１０の画面３２０から、入力部１６１を用いて、第１のキャプチャー領域３２１をキャプチャーすることができる。
キャプチャーされた第１のキャプチャー領域３２１は、入力部１６１を用いて、コンテクストメニュー３２２から「共有クリップボードへ移動」を選択することや、ドラッグ・アンド・ドロップ（ｄｒａｇ  ＆  ｄｒｏｐをすることで、第１の共有クリップボード３３０に移動させることができる。
【０１１５】
第１の共有クリップボード３３０に表示される第１のキャプチャー領域３２１は、編集のためのメニュー領域３３１のメニューを用いて編集し、互換可能なファイル（例えば、Ｗ２Ｐファイル）またはＰＤＦ、ＴＩＦＦ、テキストファイルとして保存することができる。
また、ファイルとして保存せず、内部的に臨時保存してもよい。
【０１１６】
第２の表示部で駆動するキャプチャーアプリケーション１５０の動作は、図５及び図６を参照して説明したとおりである。
第２の表示部に表示される壁紙５２０から、入力部１６１を用いて、第２のキャプチャー領域５２１をキャプチャーすることができる。
【０１１７】
キャプチャーされた第２のキャプチャー領域５２１は、入力部１６１を用いて、コンテクストメニュー５２２から「共有クリップボードへ移動」を選択することや、ドラッグ・アンド・ドロップをすることで、第２の共有クリップボード５３０に移動させて追加することができる。
【０１１８】
第２の共有クリップボード５３０に表示された第２のキャプチャー領域５２１は、メニュー領域５３１のメニューを用いて編集でき、互換可能なＷ２ＰファイルまたはＰＤＦ、ＴＩＦＦとして保存することができ、文字認識を通じてテキストファイルとしても保存することができる。
第１の共有クリップボード３３０と同様、第２の共有クリップボード５３０もファイルとして保存せず、内部的に臨時保存してもよい。
【０１１９】
第１の表示部に駆動中であるウェブキャプチャーアプリケーション１４０の第１の共有クリップボード３３０及び第２の表示部に駆動中であるキャプチャーアプリケーション１５０の第２の共有クリップボード５３０では、臨時保存された第１のキャプチャー領域３２１及び第２のキャプチャー領域５２１を、それぞれのメニュー領域３３１，５３１中の「共有クリップボードを開く」を用いて、それぞれの共有クリップボード３３０，５３０に貼り付けることが可能である。
【０１２０】
図１０は、本発明の他の実施形態に係るホスト装置の画面キャプチャー制御方法を説明するためのフローチャートである。
図１０を参照すると、ステップＳ１００１で、ホスト装置１００の表示部１６０にウェブキャプチャーアプリケーション１４０及びキャプチャーアプリケーション１５０の少なくとも一つが表示される。
【０１２１】
ウェブキャプチャーアプリケーション１４０及びキャプチャーアプリケーション１５０は、別個の短縮アイコンで表示されてよく、短縮アイコンを用いてウェブキャプチャーアプリケーション１４０及びキャプチャーアプリケーション１５０を駆動することができる。
【０１２２】
ステップＳ１００２で、入力部１６１を用いて短縮アイコンを用いてウェブキャプチャーアプリケーション１４０を駆動する。
短縮アイコン（図示せず）は、ホスト装置１００の運営体制から提供されるシステムトレイの短縮アイコン（図示せず）を含む。
【０１２３】
ウェブキャプチャーアプリケーション１４０は、ウェブブラウザ３１０にプラグインすることができ、ウェブブラウザ３１０をまず駆動した後、ウェブブラウザ３１０のツールバー３１１からウェブキャプチャーアプリケーション１４０に対応する短縮アイコン３１２を選択して駆動することが好ましい。
駆動されるウェブキャプチャーアプリケーション１４０は、ウェブブラウザ３１０の画面３２０と第１の共有クリップボード３３０を含む。
ウェブキャプチャーアプリケーション１４０が駆動される場合、ウェブキャプチャーアプリケーション１４０は、表示される画面３２０内のキャプチャー可能な全体領域を臨時保存することができる。
【０１２４】
ステップＳ１００３で、ホスト装置１００の保存部または外部装置に保存されたファイルを、第１の共有クリップボード３３０で開く。
ウェブキャプチャーアプリケーション１４０の一側に表示される第１の共有クリップボード３３０において、コンテクストメニュー（図示せず）を用いて「開く」を選択したり、メニュー領域５３１の「開く」をクリックした場合、互換可能なＷ２Ｐファイルを含む既に保存された少なくとも一つのファイルに対応するファイルリスト（図示せず）または少なくとも一つのサムネイルイメージ７１０，７２０が表示される。
【０１２５】
表示されるサムネイルイメージ７１０が複数のページを含む場合、複数のページの移動のためのページ移動キー７１１が表示されることが好ましい。
ファイルリスト（図示せず）またはサムネイルイメージ７１０，７２０は、第１の共有クリップボード３３０の一側に表示され、画面３２０とオーバーラップされてもよい。
【０１２６】
表示されるファイルリスト（図示せず）からファイルを選択したり、サムネイルイメージ６１０から少なくとも一つのサムネイルイメージを選択したりすることで、これらを第１の共有クリップボード３３０に追加することができる。
開いたファイルがＷ２Ｐファイルである場合、ファイルは、保存された形式（例えば、少なくとも一つのイメージ、少なくとも一つのイメージ配置座標、順序、テキストオブジェクト、またはＵＲＬ情報など）を維持したまま、第１の共有クリップボード３３０に追加される。
【０１２７】
ステップＳ１００４で、ウェブキャプチャーアプリケーション１４０を用いてウェブブラウザ３１０の画面３２０から第１のキャプチャー領域３２１をキャプチャーする。
キャプチャーされた第１の領域３２１は、画面３２０と区別して表示することができ、第１のキャプチャー領域３２１の形状は、多角形の他、閉曲線を含むこともできる。
【０１２８】
キャプチャーされる第１のキャプチャー領域３２１を、入力部１６１を用いて選択する場合、臨時保存された画面３２０の全体領域において第１のキャプチャー領域３２１に対応する座標を把握し、画面３２０の全体領域に対応するＨＴＭＬ文書をパーシングして座標内のテキストを抽出することができる。
また、把握された座標に対応する第１のキャプチャー領域３２１に対応するイメージを抽出することもできる。
抽出されたテキストに対応するテキストオブジェクト及び抽出されたイメージは、ベクタグラフィック形式であるＥＭＦファイルとして保存されてもよい。
【０１２９】
ステップＳ１００５において、開いたファイルが表示された第１の共有クリップボード３３０に、第１のキャプチャー領域３２１が追加される。
入力部１６１を用いて第１のキャプチャー領域３２１を第１の共有クリップボード３３０のページ領域３３３にドラッグ・アンド・ドロップして追加することや、第１のキャプチャー領域３２１に対応するコンテクストメニュー３２２から「共有クリップボードへ移動」を選択し、第１の共有クリップボードに移動させることで第１のキャプチャー領域３２１を追加することができる。
【０１３０】
移動される第１のキャプチャー領域３２１の大きさは、第１の共有クリップボード３３０のページ領域３３３の大きさに対応して変更可能である。
ユーザは、画像形成装置１８０が支援する記録媒体の大きさを参照して、第１のキャプチャー領域３２１の実際の大きさを計ることができる。
ユーザはまた、画面３２０からキャプチャー領域をさらにキャプチャーして、第１の共有クリップボード３３０に追加することもできる。
【０１３１】
ステップＳ１００６において、第１の共有クリップボード３３０に表示されたファイルまたは第１のキャプチャー領域３２１が編集される。
ファイルまたは第１のキャプチャー領域３２１の少なくとも一つは、ユーザ入力に対応する入力部１６１及びメニュー領域３３１を用いて、共有クリップボード３３０のページ領域３３０で表示される位置または大きさを変更することができる。
【０１３２】
ステップＳ１００７において、表示されるファイルと第１のキャプチャー領域３２１が第１のファイル（図示せず）として保存される。
第１のファイル（図示せず）は、ＰＤＦ、ＴＩＦＦ、Ｗ２Ｐのファイル拡張子にて保存されてよい。表示されるファイルがＷ２Ｐファイルの場合、保存時における複数の項目（少なくとも一つのイメージ、イメージの座標、順序、テキストオブジェクト）を維持し、第１のキャプチャー領域３２１を複数の項目に追加して上書き（ｏｖｅｒｗｒｉｔｅ）することや、新規のＷ２Ｐファイルとして保存することができる。
【０１３３】
第１の共有クリップボード３３０に複数のキャプチャー領域が追加された場合、対応するそれぞれのファイルとして保存することができる。また、ページ領域３３３が複数である場合には、複数のページ領域３３３を含めて第１のファイルとして保存することができる。
【０１３４】
ステップＳ１００８において、保存された第１のファイルに対応する作業が行なわれる。
対応する作業は、通信インターフェース部１３０を通じて画像形成装置１８０に第１のファイルを伝送して印刷すること、画像形成装置１８０のファックス部（図示せず）を用いて他のファクシミリに第１のファイルをファックス伝送すること、またはコンピュータ１８１または携帯用装置１８２に第１のファイルを伝送するファイル伝送、のうち少なくとも一つを含むことができる。作業が完了すると、終了する。
【０１３５】
図１１は、本発明のさらに他の実施形態に係るホスト装置の画面キャプチャー制御方法を説明するためのフローチャートである。
図１１を参照すると、ステップＳ１１０１で、ホスト装置１００の表示部１６０に、ウェブキャプチャーアプリケーション１４０及びキャプチャーアプリケーション１５０を含む統合キャプチャーアプリケーション（図示せず）が表示される。
【０１３６】
統合キャプチャーアプリケーション（図示せず）は、表示部１６０の短縮アイコン、及びホスト装置１００の運営体制から提供されるシステムトレイに表示される短縮アイコンの少なくとも一つで表示されることが好ましい。
【０１３７】
ステップＳ１１０２において、入力部１６１を用いて統合キャプチャーアプリケーション（図示せず）が駆動される。
表示部１６０の短縮アイコン（図示せず）またはホスト装置１００の運営体制から提供されるシステムトレイの短縮アイコンのいずれかを選択することで、統合キャプチャーアプリケーション（図示せず）を駆動することができる。
【０１３８】
ステップＳ１１０３において、統合キャプチャーアプリケーション（図示せず）のウェブブラウザ３１０の活性化情報を用いて、ウェブブラウザ３１０が活性化しているか否かを判断する。
活性化情報は、運営体制のレジストリ（図示せず）及び運営体制の作業管理者（図示せず）の少なくとも一つを用いて獲得することができる。
ステップＳ１１０４で、活性化情報を用いてウェブブラウザ３１０が活性化したと判断された場合、ウェブキャプチャーアプリケーション１４０が駆動される。
【０１３９】
ステップＳ１１０５で、駆動されるウェブキャプチャーアプリケーション１４０を用いてウェブキャプチャー動作が行なわれる。ウェブキャプチャー動作は、図２で説明したステップＳ２０３乃至ステップＳ２０５と同様にして行えばよく、図２で説明したステップＳ２０３乃至ステップＳ２０５の全部または一部を行うことで、ウェブキャプチャー動作を行うことができる。
ウェブキャプチャーアプリケーション１４０のウェブキャプチャー動作を行い、これで終了する。
【０１４０】
活性化情報を用いてウェブブラウザ３１０が非活性化されたと判断された場合、ステップＳ１１０６で、キャプチャーアプリケーション１５０が駆動される。
【０１４１】
ステップＳ１１０７において、駆動したキャプチャーアプリケーション１５０を用いてキャプチャー動作を行うが、キャプチャー動作は、図２を参照して説明したステップＳ２０８乃至ステップＳ２１３と同様にして行えばよい。
キャプチャー動作は、図２のステップＳ２０８乃至ステップＳ２１３の全部または一部を行うことで実施可能である。
キャプチャーアプリケーション１５０のキャプチャー動作を行い、これで終了する。
【０１４２】
本発明の好ましい時実施形態に係る方法は、様々なコンピュータ手段で実行可能なプログラム命令の形態とされて、コンピュータ読み取り可能媒体に記録されるものでよい。コンピュータ読み取り可能媒体は、プログラム命令、データファイル、データ構造などを単独にまたは組み合わせて含むことができる。該媒体に記録されるプログラム命令は、本発明のために特別に設計及び構成されたものであってよく、コンピュータソフトウェアの当業者に公知のものとして使用可能なものであってもよい。
【０１４３】
これまで、限定された好ましい実施形態及び図面を挙げて本発明を説明してきたが、本発明は上記の実施形態に限定されるものではなく、本発明の属する技術の分野における通常の知識を有する者には、上記の記載から様々な修正及び変形が可能である。
したがって、本発明の範囲は、説明した実施形態に限定されて定められてはならず、本発明の特許請求の範囲及びその均等物により定められるべきものである。
【符号の説明】
【０１４４】
１００    ホスト装置
１１０    制御部
１１１    ＣＰＵ
１１２    ＲＯＭ
１１３    ＲＡＭ
１２０    ハードディスクドライブ
１３０    通信インターフェース部
１４０    ウェブキャプチャーアプリケーション
１４１    ウェブ画面キャプチャーパート
１４２    第１の共有クリップボードパート
１４３    ファイル保存／オープンパート
１４４    第１の共有クリップボードオープンパート
１５０    キャプチャーアプリケーション
１５１    壁紙キャプチャーパート
１５２    第２の共有クリップボードパート
１５３    ファイル保存／オープンパート
１５４    第２の共有クリップボードオープンパート
１６０    表示部
１６１    入力部
１７０    有線／無線ネットワーク
１７１    ＵＳＢインターフェース
１８０    画像形成装置
１８１    コンピュータ
１８２    携帯用装置
３２０    画面
３２１    第１のキャプチャー領域
３３０    第１の共有クリップボード
３３１    メニュー領域
３３２    画面領域
３３３    ページ領域
５２０    壁紙
５２１    第２のキャプチャー領域
５３０    第２の共有クリップボード
８１０    スプレッドシートアプリケーション
８１１    グラフ
８１２    コンテクストメニュー
【図１】
2012064220.tif 000003
【図２】
2012064220.tif 000004
【図３】
2012064220.tif 000005
【図４】
2012064220.tif 000006
【図５】
2012064220.tif 000007
【図６】
2012064220.tif 000008
【図７】
2012064220.tif 000009
【図８】
2012064220.tif 000010
【図９】
2012064220.tif 000011
【図１０】
2012064220.tif 000012
【図１１】
2012064220.tif 000013